(57)【要約】【課題】有価媒体処理装置の内部空間を有効に利用する。【解決手段】有価媒体処理装置（10）では、第１装填処理と第２装填処理とが行われる。第１装填処理では、複数の収納部（33）のうち開状態の収納部（33）に有価媒体が装填されて有価媒体の計数が行われる。第２装填処理では、複数の収納部（33）のうち開状態の収納部（33）に有価媒体が装填されるが有価媒体の計数が行われない。制御部（20）は、第１装填処理において、複数の収納部（33）のうち有価媒体が装填された収納部（33）から有価媒体が繰り出されて識別部（39）に搬送されるように有価媒体処理装置（10）の動作を制御する。【選択図】図３
2019200694.tif 000002
【特許請求の範囲】
【請求項１】
第１装填処理と第２装填処理とが行われる有価媒体処理装置であって、
それぞれが開閉可能に構成されて有価媒体の収納と繰出を行う複数の収納部と、
前記有価媒体を搬送する搬送部と、
前記有価媒体の識別および計数を行う識別部と、
前記有価媒体処理装置の動作を制御する制御部とを備え、
前記第１装填処理では、前記複数の収納部のうち開状態の収納部に前記有価媒体が装填されて該有価媒体の計数が行われ、
前記第２装填処理では、前記複数の収納部のうち開状態の収納部に前記有価媒体が装填されるが該有価媒体の計数が行われず、
前記制御部は、前記第１装填処理において、前記複数の収納部のうち前記有価媒体が装填された収納部から該有価媒体が繰り出されて前記識別部に搬送されるように前記有価媒体処理装置の動作を制御する
ことを特徴とする有価媒体処理装置。
【請求項２】
請求項１において、
前記複数の収納部は、開状態とすることを許可するアクセス許可状態と開状態とすることを禁止するアクセス禁止状態とに個別に切り換え可能となっている
ことを特徴とする有価媒体処理装置。
【請求項３】
請求項１または２において、
前記制御部は、前記第１装填処理において、前記複数の収納部のうち前記有価媒体が装填された収納部から全ての有価媒体が前記識別部に搬送されて該有価媒体の計数が完了すると該有価媒体が該収納部に戻るように前記有価媒体処理装置の動作を制御する
ことを特徴とする有価媒体処理装置。
【請求項４】
請求項３において、
前記有価媒体を一時的に保留する一時保留部を備え、
前記制御部は、前記第１装填処理において、前記複数の収納部のうち前記有価媒体が装填された収納部から該有価媒体が繰り出されて前記識別部に搬送され該識別部における識別結果に応じて前記一時保留部に搬送され、該収納部に装填された全ての有価媒体が前記識別部に搬送されて該有価媒体の計数が完了すると該一時保留部に一時的に保留された有価媒体が該収納部に戻るように前記有価媒体処理装置の動作を制御する
ことを特徴とする有価媒体処理装置。
【請求項５】
請求項１〜３のいずれか１項において、
前記制御部は、前記第１装填処理において、前記複数の収納部のうち前記有価媒体を装填しようとする収納部に有価媒体が既に収納されている場合、該収納部に既に収納されている有価媒体が該収納部から繰り出されて該収納部が空になるように前記有価媒体処理装置の動作を制御する退避動作を行う
ことを特徴とする有価媒体処理装置。
【請求項６】
請求項５において、
前記有価媒体を一時的に保留する一時保留部を備え、
前記制御部は、前記退避動作において、前記複数の収納部のうち前記有価媒体を装填しようとする収納部に既に収納されている有価媒体が該収納部から繰り出されて前記一時保留部に搬送されるように前記有価媒体処理装置の動作を制御する
ことを特徴とする有価媒体処理装置。
【請求項７】
請求項１〜６のいずれか１項において、
前記第１装填処理および前記第２装填処理は、前記有価媒体処理装置の操作者による前記有価媒体の装填が認証された場合に行われ、
前記第２装填処理における操作者の認証レベルは、前記第１装填処理における操作者の認証レベルよりも高くなっている
ことを特徴とする有価媒体処理装置。
【発明の詳細な説明】
【技術分野】
【０００１】
ここに開示する技術は、有価媒体処理装置に関する。
【背景技術】
【０００２】
従来、紙幣や有価証券などの有価媒体を処理する有価媒体処理装置が知られている。例えば、特許文献１には、装置本体と、装置本体内に設けられ、有価媒体を収納する収納部と、収納部とは別に設けられ、装置本体に装着された装着位置と装置本体から引き出された引出位置との間において移動可能であり、引出位置において有価媒体が装填される装填部と、装着位置の装填部から有価媒体を繰り出す繰出部と、繰出部によって繰り出された有価媒体を装置本体内において搬送する搬送部と、搬送部によって搬送される有価媒体を少なくとも計数する識別部と、装着位置の前記装填部における有価媒体を、繰出部によって繰り出して識別部によって１つずつ計数した後に、搬送部によって収納部まで搬送する制御部とを備えた有価媒体処理装置が開示されている。
【先行技術文献】
【特許文献】
【０００３】
【特許文献１】特開２０１８−２２２４１号公報
【発明の概要】
【発明が解決しようとする課題】
【０００４】
しかしながら、特許文献１の有価媒体処理装置では、収納部とは別に有価媒体を装填するための装填部が設けられているので、その分、有価媒体処理装置の内部空間を有効に利用することができない。
【０００５】
そこで、ここに開示する技術は、内部空間を有効に利用することが可能な有価媒体処理装置を提供することを目的とする。
【課題を解決するための手段】
【０００６】
ここに開示する技術は、第１装填処理と第２装填処理とが行われる有価媒体処理装置に関し、この有価媒体処理装置は、それぞれが開閉可能に構成されて有価媒体の収納と繰出を行う複数の収納部と、前記有価媒体を搬送する搬送部と、前記有価媒体の識別および計数を行う識別部と、前記有価媒体処理装置の動作を制御する制御部とを備えている。前記第１装填処理では、前記複数の収納部のうち開状態の収納部に前記有価媒体が装填されて該有価媒体の計数が行われる。前記第２装填処理では、前記複数の収納部のうち開状態の収納部に前記有価媒体が装填されるが該有価媒体の計数が行われない。そして、前記制御部は、前記第１装填処理において、前記複数の収納部のうち前記有価媒体が装填された収納部から該有価媒体が繰り出されて前記識別部に搬送されるように前記有価媒体処理装置の動作を制御する。
【０００７】
前記の構成では、収納部とは別に装填部（有価媒体を装填するための構成）を設ける必要がないので、有価媒体処理装置に装填部が設けられている場合よりも、有価媒体処理装置の内部空間を有効に利用することができる。
【０００８】
なお、前記複数の収納部は、開状態とすることを許可するアクセス許可状態と開状態とすることを禁止するアクセス禁止状態とに個別に切り換え可能となっていてもよい。
【０００９】
前記の構成では、アクセス許可状態とアクセス禁止状態とに個別に切り換え可能となるように複数の収納部を構成することにより、複数の収納部のうち有価媒体を装填しようとする収納部を除く他の収納部をアクセス禁止状態のまま維持することができる。これにより、アクセス禁止状態が維持されている収納部において在高の信頼性を維持することができる。
【００１０】
また、前記制御部は、前記第１装填処理において、前記複数の収納部のうち前記有価媒体が装填された収納部から全ての有価媒体が前記識別部に搬送されて該有価媒体の計数が完了すると該有価媒体が該収納部に戻るように前記有価媒体処理装置の動作を制御するように構成されていてもよい。
【００１１】
前記の構成では、第１装填処理において有価媒体の計数が完了した場合に有価媒体を元の収納部に戻すことにより、計数済みの有価媒体を元の収納部に収納することができる。
【００１２】
また、前記有価媒体処理装置は、前記有価媒体を一時的に保留する一時保留部を備えていてもよい。そして、前記制御部は、前記第１装填処理において、前記複数の収納部のうち前記有価媒体が装填された収納部から該有価媒体が繰り出されて前記識別部に搬送され該識別部における識別結果に応じて前記一時保留部に搬送され、該収納部に装填された全ての有価媒体が前記識別部に搬送されて該有価媒体の計数が完了すると該一時保留部に一時的に保留された有価媒体が該収納部に戻るように前記有価媒体処理装置の動作を制御するように構成されていてもよい。
【００１３】
前記の構成では、第１装填処理において収納部から繰り出された有価媒体を識別部における識別結果に応じて一時保留部に搬送することにより、識別部において識別済みの有価媒体を一時保留部において管理することができる。
【００１４】
また、前記制御部は、前記第１装填処理において、前記複数の収納部のうち前記有価媒体を装填しようとする収納部に有価媒体が既に収納されている場合、該収納部に既に収納されている有価媒体が該収納部から繰り出されて該収納部が空になるように前記有価媒体処理装置の動作を制御する退避動作を行うように構成されていてもよい。
【００１５】
前記の構成では、退避動作を行うことにより、有価媒体を装填しようとする収納部を空にすることができる。これにより、開状態の収納部に対する有価媒体の装填を容易にすることができる。
【００１６】
また、前記有価媒体処理装置は、前記有価媒体を一時的に保留する一時保留部を備えていてもよい。そして、前記制御部は、前記退避動作において、前記複数の収納部のうち前記有価媒体を装填しようとする収納部に既に収納されている有価媒体が該収納部から繰り出されて前記一時保留部に搬送されるように前記有価媒体処理装置の動作を制御するように構成されていてもよい。
【００１７】
前記の構成では、退避動作において有価媒体を装填しようとする収納部に既に収納されている有価媒体を収納部から一時保留部に退避させることにより、収納部から退避させた有価媒体を一時保留部において管理することができる。
【００１８】
なお、前記第１装填処理および前記第２装填処理は、前記有価媒体処理装置の操作者による前記有価媒体の装填が認証された場合に行われる処理であってもよい。そして、前記第２装填処理における操作者の認証レベルは、前記第１装填処理における操作者の認証レベルよりも高くなっていてもよい。
【００１９】
前記の構成では、第２装填処理における操作者の認証レベルを第１装填処理における操作者の認証レベルよりも高くすることにより、第２装填処理において収納部に装填される有価媒体の信頼性を向上させることができる。
【発明の効果】
【００２０】
以上のように、ここに開示する技術によれば、収納部とは別に装填部（有価媒体を装填するための構成）を設ける必要がないので、有価媒体処理装置に装填部が設けられている場合よりも、有価媒体処理装置の内部空間を有効に利用することができる。
【図面の簡単な説明】
【００２１】
【図１】実施形態による有価媒体処理システムの構成を例示する概略図である。
【図２】図１に示した有価媒体処理システムの構成を例示するブロック図である。
【図３】図１に示した有価媒体処理部の構成を例示する概略図である。
【図４】図１に示した有価媒体処理部の構成を例示する斜視図である。
【図５】第１装填処理における有価媒体の流れを例示する概略図である。
【図６】第１装填処理における有価媒体の流れを例示する概略図である。
【図７】退避動作における有価媒体の流れを例示する概略図である。
【図８】一時保留部に収納される有価媒体を例示する概念図である。
【図９】有価媒体処理装置の動作を例示するフローチャートである。
【図１０】操作表示部に表示されるメニュー画面を例示する図である。
【図１１】操作表示部に表示される装填対象選択画面を例示する図である。
【図１２】操作表示部に表示される装填モード選択画面を例示する図である。
【図１３】第１装填処理を例示するフローチャートである。
【図１４】操作表示部に表示される金種指定画面を例示する図である。
【図１５】操作表示部に表示される操作ガイド画面を例示する図である。
【図１６】操作表示部に表示される計数結果画面を例示する図である。
【図１７】第２装填処理を例示するフローチャートである。
【図１８】操作表示部に表示される装填情報入力画面を例示する図である。
【図１９】第２装填処理の変形例を例示するフローチャートである。
【図２０】払出処理における有価媒体の流れを例示する概略図である。
【発明を実施するための形態】
【００２２】
以下、実施の形態を図面を参照して詳しく説明する。なお、図中同一または相当部分には同一の符号を付しその説明は繰り返さない。
【００２３】
（有価媒体処理装置）
図１および図２は、実施形態による有価媒体処理装置１０の外観および構成を例示している。この例では、有価媒体処理装置１０は、出納機を構成している。具体的には、有価媒体処理装置１０は、有価媒体処理部１１と、紙幣処理部１２と、硬貨処理部１３と、損貨記念貨処理部１４と、操作表示部２１と、カードリーダ２２と、プリンタ２３と、通信部２４と、記憶部２５と、制御部２０とを備えている。有価媒体処理装置１０（出納機）は、例えば、銀行などの金融機関に設置される。
【００２４】
〔有価媒体処理部〕
有価媒体処理部１１は、有価媒体を処理する。具体的には、有価媒体処理部１１は、有価媒体を受け付ける受付処理や、有価媒体を払い出す払出処理や、有価媒体を装填する装填処理などの各種処理を行うように構成されている。有価媒体処理部１１の構成については、後で詳しく説明する。
【００２５】
なお、有価媒体処理部１１において処理される有価媒体には、損券や旧券やリジェクト紙幣などの紙幣処理部１２において処理することができない紙幣や、小切手や手形などの有価証券や、新券などが含まれている。損券は、損傷や汚れの度合いが激しい紙幣のことである。旧券は、現在発行されている紙幣よりも発行された年代が古い紙幣のことである。リジェクト紙幣は、紙幣処理部においてリジェクトされた紙幣のことである。新券は、中央銀行から金融機関に配送されて未だ市場に流通していない紙幣（官封券）のことである。
【００２６】
〔紙幣処理部〕
紙幣処理部１２は、紙幣を処理する。具体的には、紙幣処理部１２は、バラ紙幣（バラ状態の紙幣）を入金する紙幣入金処理や、バラ紙幣を出金する紙幣出金処理や、帯封紙幣を生成する帯封処理や、帯封紙幣を出金する帯封紙幣出金処理などの各種処理を行うように構成されている。帯封紙幣は、所定枚数（例えば１００枚）のバラ紙幣が帯封されて構成されている。
【００２７】
〔硬貨処理部〕
硬貨処理部１３は、硬貨を処理する。具体的には、硬貨処理部１３は、バラ硬貨（バラ状態の硬貨）を入金する硬貨入金処理や、バラ硬貨を出金する硬貨出金処理や、包装硬貨を生成する包装処理や、包装硬貨を出金する包装硬貨出金処理などの各種処理を行うように構成されている。包装硬貨は、所定枚数（例えば５０枚）のバラ硬貨が包装されて構成されている。
【００２８】
〔損貨記念貨処理部〕
損貨記念貨処理部１４は、損貨や記念貨などの硬貨（硬貨処理部１３において処理することができない硬貨）を処理する。具体的には、損貨記念貨処理部１４は、損貨や記念貨などを受け付ける損貨記念貨受付処理などの各種処理を行うように構成されている。
【００２９】
〔操作表示部〕
操作表示部２１は、操作部２１１と表示部２１２とを有している。例えば、操作表示部２１は、タッチパネルによって構成されている。操作部２１１は、操作者による操作が与えられ、その操作者による操作に応じて情報を入力する。これにより、操作者は、操作部２１１を操作して有価媒体処理装置１０に各種処理を行わせることができる。すなわち、有価媒体処理装置１０は、操作者による操作に応答して動作する。表示部２１２は、情報を表示する。
【００３０】
〔カードリーダとプリンタと通信部〕
カードリーダ２２は、操作者のＩＤカードから情報（例えば操作者を特定するための操作者情報である操作者ＩＤ）を読み取る。プリンタ２３は、情報を印刷媒体（例えばジャーナル）に印刷する。通信部２４は、制御部２０が外部機器（図示を省略、例えば管理コンピュータやタブレット端末やスマートフォンなど）との間で有線通信または無線通信を行うために設けられている。
【００３１】
〔記憶部〕
記憶部２５は、情報を記憶する。記憶部２５には、有価媒体処理装置１０における有価媒体や貨幣の処理状況に関する情報や、有価媒体処理装置１０における有価媒体や貨幣の在高に関する情報や、操作表示部２１に表示される操作画面などの画像情報（画像データ）や、有価媒体処理装置１０の動作を制御するための制御情報などが記憶されている。例えば、記憶部２５は、ハードディスクドライブやフラッシュメモリなどの汎用ストレージデバイスによって構成されている。
【００３２】
〔各種センサ〕
また、有価媒体処理装置１０の各部には、有価媒体や紙幣や硬貨の通過を検知する通過センサなどの各種センサが設けられている。これらの各種センサによる検知結果（検知信号）は、制御部２０に送信される。
【００３３】
〔制御部〕
制御部２０は、有価媒体処理装置１０の各部（具体的には有価媒体処理部１１と紙幣処理部１２と硬貨処理部１３と損貨記念貨処理部１４と操作表示部２１とカードリーダ２２とプリンタ２３と通信部２４と記憶部２５）と電気的に接続されて有価媒体処理装置１０の各部との間において信号や情報を伝送可能となっている。また、制御部２０は、通信部２４を経由して外部機器（図示を省略、例えば管理コンピュータやスマートフォンやタブレット端末など）と通信可能となっている。そして、制御部２０は、操作部２１１に与えられた操作や有価媒体処理装置１０の各部（各部に設けられた各種センサを含む）や外部機器から送られてきた信号や情報などに基づいて、有価媒体処理装置１０の各部を制御して有価媒体処理装置１０の動作を制御する。例えば、制御部２０は、プロセッサや、プロセッサを動作させるためのプログラムや情報などを記憶するメモリなどによって構成されている。制御部２０の動作については、後で詳しく説明する。
【００３４】
〔有価媒体処理部の詳細〕
図３および図４は、有価媒体処理部１１の構成を例示している。図３および図４に示すように、有価媒体処理部１１は、筐体３０と、投入部３１と、払出部３２と、複数（この例では４つ）の収納部３３と、一時保留部３４と、複数（この例では３つ）の小切手収納部３５と、複数（この例では２つ）の損券収納部３６と、搬送部３７と、撮像部３８と、識別部３９とを有している。
【００３５】
〈筐体〉
筐体３０には、有価媒体処理部１１の構成部品（具体的には投入部３１と払出部３２と収納部３３と一時保留部３４と小切手収納部３５と損券収納部３６と搬送部３７と撮像部３８と識別部３９）が収納されている。この例では、筐体３０は、前方に開口する直方体型の箱状に形成され、筐体３０の内部には、内部ユニット３００が収納されている。内部ユニット３００は、筐体３０から前方に引き出し可能となっている。内部ユニット３００には、有価媒体処理部１１の構成部品が設けられている。
【００３６】
〈投入部〉
投入部３１には、有価媒体が投入される。この例では、投入部３１は、筐体３０の前面（具体的には内部ユニット３００の前面）に設けられ、複数枚の有価媒体を投入することができるように構成されている。また、投入部３１には、投入部３１に投入された有価媒体を搬送部３７に一枚ずつ繰り出す繰出機構３１０が設けられている。
【００３７】
〈払出部〉
払出部３２は、有価媒体を機外に払い出す。この例では、払出部３２は、筐体３０の前面（具体的には内部ユニット３００の前面）に設けられ、複数枚の有価媒体を集積することができるように構成されている。また、払出部３２には、搬送部３７から払出部３２に搬送されてきた有価媒体を払出部３２に一枚ずつ繰り入れる羽根車３２０が設けられている。また、払出部３２には、開閉可能なシャッタが設けられており、このシャッタが開状態となっている場合に、払出部３２に集積された有価媒体を操作者が取り出すことができるようになっている。
【００３８】
〈収納部〉
複数の収納部３３は、それぞれが有価媒体の収納と繰出を行う。この例では、複数の収納部３３は、筐体３０の前部（具体的には内部ユニット３００の前部）に設けられて上下方向に並んで配置され、それぞれが複数枚の有価媒体を集積することができるように構成されている。また、収納部３３には、収納部３３に収納された有価媒体を搬送部３７に一枚ずつ繰り出す繰出機構３３０が設けられている。
【００３９】
この例では、収納部３３は、収納部３３に収納されている複数枚の有価媒体のうち収納部３３に先に収納された有価媒体が収納部３３に後に収納された有価媒体よりも先に繰り出されるように、収納部３３に収納されている複数枚の有価媒体を１枚ずつ繰り出す。具体的には、収納部３３の収納動作では、収納部３３に搬送されてきた有価媒体が収納部３３に既に収納されている有価媒体（すなわち収納部３３に先に収納された有価媒体）の上に集積される。そして、収納部３３の繰出動作では、収納部３３に収納されている複数枚の有価媒体が上から順番に１枚ずつ繰り出される。
【００４０】
また、複数の収納部３３は、それぞれが開閉可能に構成されている。この例では、複数の収納部３３の各々には、内部ユニット３００の側方に開口する開口部３３１と、開口部３３１を開閉する開閉扉３３２とが設けられている。収納部３３の開閉扉３３２を開状態（開口部３３１が開放された状態）にすることにより、収納部３３が開状態となり、収納部３３の開口部３３１を閉状態（開口部３３１が閉鎖された状態）にすることにより、収納部３３が閉状態となる。
【００４１】
また、この例では、複数の収納部３３は、開状態とすることを許可するアクセス許可状態と開状態とすることを禁止するアクセス禁止状態とに個別に切り換え可能となっている。具体的には、複数の収納部３３の各々には、閉状態の開閉扉３３２を施錠する施錠状態と開閉扉３３２の施錠を解除する解錠状態とに切り換え可能なロック機構３３３が設けられている。ロック機構３３３を解錠状態にすることにより、収納部３３がアクセス許可状態となり、ロック機構３３３を施錠状態にすることにより、収納部３３がアクセス禁止状態となる。
【００４２】
また、この例では、複数の収納部３３の各々には、その収納部３３における有価媒体の有無を検知する有無検知センサ４１が設けられている。有無検知センサ４１により検知結果（検知信号）は、制御部２０に送信される。これにより、制御部２０は、収納部３３に有価媒体が収納されているか否かを判定することができる。
【００４３】
また、この例では、複数の収納部３３には、有価媒体の一例である新券が収納される。具体的には、複数の収納部３３の各々には、その収納部３３に収納されるべき新券の金種が割り当てられており、複数の収納部３３の各々は、その収納部３３に割り当てられた金種の新券を収納する。
【００４４】
〈一時保留部〉
一時保留部３４は、有価媒体を一時的に保留する。この例では、一時保留部３４は、テープ巻き取り式の収納部によって構成されている。具体的には、一時保留部３４は、正回転方向および逆回転方向の両方に回転可能なドラム３４０を有しており、このドラム３４０に一対のテープが巻き取られるようになっている。そして、搬送部３７から一時保留部３４に送られた有価媒体は、この一対のテープの間に挟まれた状態で１枚ずつ順番にドラム３４０（正回転方向に回転するドラム３４０）により巻き取られて収納される。また、ドラム３４０を逆回転方向に回転させると、巻き取られた有価媒体が搬送部３７に１枚ずつ繰り出される。
【００４５】
この例では、一時保留部３４は、一時保留部３４に収納されている複数枚の有価媒体のうち一時保留部３４に先に収納された有価媒体が一時保留部３４に後に収納された有価媒体よりも先に繰り出されるように、一時保留部３４に収納されている複数枚の有価媒体を１枚ずつ繰り出す。具体的には、一時保留部３４では、一時保留部３４から繰り出される有価媒体の順番は、一時保留部３４に繰り入れられた有価媒体の順番の逆となっている。
【００４６】
〈小切手収納部〉
複数の小切手収納部３５は、それぞれが有価媒体の一例である小切手や手形などを収納する。この例では、小切手収納部３５は、スタッカ式の収納部によって構成されている。具体的には、小切手収納部３５は、複数枚の小切手や手形などを集積することができるように構成されている。
【００４７】
〈損券収納部〉
複数の損券収納部３６は、それぞれが有価媒体の一例である損券を収納する。この例では、２つの損券収納部３６のうち一方の損券収納部３６の構成は、小切手収納部３５の構成（スタッカ式の収納部）と同様となっており、他方の損券収納部３６の構成は、一時保留部３４の構成（テープ巻き取り式）と同様となっている。
【００４８】
〈搬送部〉
搬送部３７は、有価媒体を搬送する。この例では、搬送部３７は、投入部３１と払出部３２と複数の収納部３３と一時保留部３４と複数の小切手収納部３５と複数の損券収納部３６との間において有価媒体を搬送するように構成されている。例えば、搬送部３７は、有価媒体を搬送するための搬送ベルトおよび搬送ローラにより構成された搬送路や、搬送ベルトおよび搬送ローラを駆動するための駆動機構や、有価媒体の搬送を案内するためのガイド機構や、有価媒体の搬送方向を切り換えるための分岐爪などによって構成されている。
【００４９】
〈撮像部〉
撮像部３８は、搬送部３７に設けられ、搬送部３７により搬送される有価媒体を撮像して有価媒体の画像（具体的には有価媒体の表裏両面の画像）を取得する。撮像部３８により取得された有価媒体の画像は、制御部２０に送信される。この例では、撮像部３８は、投入部３１の下流側に配置されている。
【００５０】
〈識別部〉
識別部３９は、搬送部３７に設けられ、搬送部３７により搬送される有価媒体の識別および計数を行う。具体的には、識別部３９は、有価媒体に対して識別動作を計数動作を行う。識別動作では、識別部３９は、有価媒体の券種（例えば金種）、真偽、正損、新旧、搬送状態などを識別する。計数動作では、識別部３９は、有価媒体の枚数を券種別に計数する。また、識別部３９は、有価媒体に付された識別番号（例えば記番号）を読み取る。識別部３９による識別結果および計数結果は、制御部２０に送信される。例えば、識別部３９は、ラインセンサや磁気センサや画像センサなどの各種センサや、プロセッサや、プロセッサを動作させるためのプログラムや情報を記憶するメモリなどによって構成されている。
【００５１】
〔装填処理〕
有価媒体処理装置１０では、２種類の装填処理（第１装填処理と第２装填処理）が行われる。第１装填処理では、有価媒体処理部１１に設けられた複数の収納部３３のうち開状態の収納部３３に有価媒体が装填されて有価媒体の計数が行われる。第２装填処理では、有価媒体処理部１１に設けられた複数の収納部３３のうち開状態の収納部３３に有価媒体が装填されるが有価媒体の計数が行われない。
【００５２】
なお、ここで説明する「装填」とは、搬送部３７を経由せずに、開状態の収納部３３に有価媒体を投入することであり、具体的には、収納部３３の開閉扉３３２を開状態にして収納部３３の開口部３３１を通じて有価媒体を収納部３３に投入することである。
【００５３】
また、第１装填処理および第２装填処理は、有価媒体処理装置１０の操作者による有価媒体の装填が認証された場合に行われる。また、第２装填処理における操作者の認証レベルは、第１装填処理における操作者の認証レベルよりも高くなっている。
【００５４】
〔制御部の動作〕
制御部２０は、第１装填処理において、複数の収納部３３のうち有価媒体が装填された収納部３３から有価媒体が繰り出されて識別部３９に搬送されるように、有価媒体処理装置１０の動作を制御する。そして、制御部２０は、第１装填処理において、複数の収納部３３のうち有価媒体が装填された収納部３３から全ての有価媒体が識別部３９に搬送されて有価媒体の計数が完了すると、有価媒体が収納部３３に戻るように、有価媒体処理装置１０の動作を制御する。
【００５５】
この例では、制御部２０は、第１装填処理において、複数の収納部３３のうち有価媒体が装填された収納部３３から有価媒体が繰り出されて識別部３９に搬送され識別部３９における識別結果に応じて一時保留部３４に搬送されるように、有価媒体処理装置１０の動作を制御する。
【００５６】
具体的には、複数の収納部３３のうち開状態の収納部３３に有価媒体が装填され、その収納部３３の開閉扉３３２が閉じられて収納部３３が開状態から閉状態となり、筐体３０から引き出されている内部ユニット３００が筐体３０内に収納されると、図５の実線の矢印で示すように、複数の収納部３３のうち有価媒体が装填された収納部３３から有価媒体が搬送部３７に繰り出され、識別部３９に搬送されて識別部３９において識別される。識別部３９において正常券に該当すると識別された有価媒体は、図５の実線の矢印で示すように、一時保留部３４に搬送されて一時保留部３４に一時的に保留される。一方、識別部３９においてリジェクト券（例えば二枚送りや金種間違いなど）に該当すると識別された有価媒体は、図５の破線の矢印で示すように、払出部３２に搬送されて払出部３２に集積される。
【００５７】
そして、制御部２０は、収納部３３に装填された全ての有価媒体が識別部３９に搬送されて有価媒体の計数が完了すると、その後（例えば収納部３３に対する有価媒体の装填が承認された後）に、一時保留部３４に一時的に保留された有価媒体が収納部３３に戻るように、有価媒体処理装置１０の動作を制御する。
【００５８】
具体的には、図６の実線の矢印で示すように、一時保留部３４に一時的に保留された有価媒体は、一時保留部３４から搬送部３７に繰り出されて収納部３３（元の収納部３３）に搬送され、収納部３３に収納される。
【００５９】
なお、この例では、制御部２０は、第１装填処理において、複数の収納部３３のうち有価媒体を装填しようとする収納部３３に有価媒体が既に収納されている場合に退避動作を行う。退避動作では、制御部２０は、複数の収納部３３のうち有価媒体を装填しようとする収納部３３に既に収納されている有価媒体が収納部３３から繰り出されて収納部３３が空になるように、有価媒体処理装置１０の動作を制御する。この例では、制御部２０は、退避動作において、複数の収納部３３のうち有価媒体を装填しようとする収納部３３に既に収納されている有価媒体が収納部３３から繰り出されて一時保留部３４に搬送されるように、有価媒体処理装置１０の動作を制御する。
【００６０】
具体的には、図７の実線の矢印で示すように、複数の収納部３３のうち有価媒体を装填しようとする収納部３３に既に収納されている有価媒体は、その収納部３３から搬送部３７に繰り出されて一時保留部３４に搬送され、一時保留部３４に一時的に保留（退避）される。その後、その収納部３３（有価媒体を装填しようとする収納部３３）が閉状態から開状態にされて新たな有価媒体が装填される。そして、上記の第１装填処理における動作が行われる。
【００６１】
また、この例では、制御部２０は、複数の収納部３３のうち有価媒体を装填しようとする収納部３３に既に収納されている有価媒体が一時保留部３４に搬送されて収納部３３が空になると、一時保留部３４において退避動作により搬送されてきた有価媒体（すなわち退避動作により収納部３３から一時保留部３４に搬送されて一時保留部３４に収納された有価媒体）と退避動作の後に装填されて搬送されてきた有価媒体（すなわち収納部３３に装填された後に収納部３３から一時保留部３４に搬送されて一時保留部３４に収納された有価媒体）との間に空乏エリアが形成されるように、一時保留部３４をドラム３４０を正回転方向に回転させる。
【００６２】
具体的には、図８に示すように、退避動作により搬送されてきた有価媒体の間隔Ｄ１（または退避動作の後に装填されて搬送されてきた有価媒体の間隔Ｄ１）よりも、退避動作により搬送されてきた有価媒体と退避動作の後に装填されて搬送されてきた有価媒体との間隔Ｄ２が大きくなるように、一時保留部３４のドラム３４０が正回転方向に回転（すなわち空回り）する。
【００６３】
〔有価媒体処理装置の動作〕
次に、図９を参照して、有価媒体処理装置１０の動作について説明する。
【００６４】
〈ステップＳ１０１〉
まず、有価媒体処理装置１０の操作者に対して認証処理が行われる。具体的には、制御部２０は、操作表示部２１が操作されて入力された操作者ＩＤ（またはカードリーダ２２により取得された操作者ＩＤ）に基づいて、その操作者ＩＤにより特定される操作者を認証する。そして、認証処理により操作者が承認されると、ステップＳ１０２へ進む。
【００６５】
〈ステップＳ１０２〉
次に、制御部２０は、操作者による操作に応答して、有価媒体処理装置１０において行われるべき装填処理として第１装填処理（計数装填）と第２装填処理（手動装填）のうち一方の装填処理を選択する。
【００６６】
この例では、ステップＳ１０１における認証が完了すると、制御部２０は、図１０に示すメニュー画面の画像を操作表示部２１に表示させる。このメニュー画面には、装填処理の実施を指示するための装填アイコン（図１０において「07 装填」と記載されたアイコン）が含まれている。そして、図１０に示されたメニュー画面において装填アイコンを選択するための操作が操作表示部２１に与えられると、制御部２０は、図１１に示す装填対象選択画面の画像を操作表示部２１に表示される。この装填対象選択画面には、装填処理の対象として有価媒体処理装置１０の収納部３３を選択するための新券部アイコン（図１１において「新券部」と記載されたアイコン）が含まれている。そして、図１１に示された装填対象選択画面において新券部アイコンを選択するための操作が操作表示部２１に与えられると、制御部２０は、図１２に示す装填モード選択画面の画像を操作表示部２１に表示させる。この装填モード選択画面には、装填モードとして「計数装填（第１装填処理）」を選択するための計数装填アイコン（図１２において「計数装填」と記載されたアイコン）と、装填モードとして「手動装填（第２装填処理）を選択するための手動装填アイコン（図１２において「手動装填」と記載された手動装填アイコン（図１２において７「手動装填」と記載されたアイコン）とが含まれている。図１２に示された装填モード選択画面において計数装填アイコンを選択するための操作が操作表示部２１に与えられると、計数装填（第１装填処理）が選択され、手動装填アイコンを選択するための操作が与えられると、手動装填（第２装填処理）が選択される。
【００６７】
〈ステップＳ１０３〉
次に、制御部２０は、有価媒体処理装置１０において行われるべき装填処理として第１装填処理（計数装填）が選択されているか否かを判定する。有価媒体処理装置１０において行われるべき装填処理として第１装填処理（計数装填）が選択されている場合には、ステップＳ１０４へ進み、そうでない場合（すなわち有価媒体処理装置１０において行われるべき装填処理として第２装填処理（手動装填）が選択されている場合）には、ステップＳ１０５へ進む。
【００６８】
〈ステップＳ１０４〉
有価媒体処理装置１０において行われるべき装填処理として第１装填処理（計数装填）が選択されている場合、制御部２０は、第１装填処理が行われるように有価媒体処理装置１０（具体的には有価媒体処理部１１）の動作を制御する。次に、ステップＳ１０６へ進む。なお、ステップＳ１０４において行われる第１計数処理については、後で詳しく説明する。
【００６９】
〈ステップＳ１０５〉
一方、有価媒体処理装置１０において行われるべき装填処理として第２装填処理（手動装填）が選択されている場合、制御部２０は、第２装填処理が行われるように有価媒体処理装置１０（具体的には有価媒体処理部１１）の動作を制御する。次に、ステップＳ１０６へ進む。なお、ステップＳ１０５において行われる第２計数処理については、後で詳しく説明する。
【００７０】
〈ステップＳ１０６〉
次に、有価媒体処理装置１０における装填処理（第１装填処理または第２装填処理）が完了すると、制御部２０は、有価媒体処理装置１０における装填処理の結果に関する情報が印刷されたジャーナル（印刷媒体の一例）をプリンタ２３に発行させる。このジャーナルには、有価媒体処理装置１０の操作者を特定するための操作者情報（例えば操作者の名前）や、有価媒体処理装置１０において第１装填処理および第２装填処理のどちらが行われたのかを示すモード判別情報（例えば「計数装填」という文字または「手動装填」という文字）や、有価媒体処理装置１０において装填処理が行われた日時に関する実施日情報（例えば実施日の年月日）や、有価媒体処理装置１０の装填処理において収納部３３に装填された紙幣の金種および枚数に関する装填情報（例えば金種別の枚数）などが印刷されている。
【００７１】
〔第１装填処理（計数装填）〕
次に、図１３を参照して、有価媒体処理装置１０において行われる第１装填処理について説明する。
【００７２】
〈ステップＳ２０１〉
まず、有価媒体処理部１１に装填しようとする有価媒体の金種が指定される。
【００７３】
この例では、制御部２０は、図１４に示す金種指定画面の画像を操作表示部２１に表示させる。この金種指定画面には、有価媒体処理部１１に装填しようとする有価媒体の金種を選択するためのチェックボックス（図１４において「万」「５千」「２千」「千」と記載という４つの金種の横にそれぞれ設けられた４つのチェックボックス）が設けられている。そして、４つのチェックボックスのうちいずれか１つのチェックボックスを選択するための操作が操作表示部２１に与えられると、そのチェックボックスに対応する金種が指定される。
【００７４】
〈ステップＳ２０２〉
次に、制御部２０は、複数の収納部３３のうちステップＳ２０１において指定された金種に対応する収納部３３（すなわち有価媒体を装填しようとする収納部３３）に有価媒体が既に収納されているか否かを判定する。有価媒体を装填しようとする収納部３３に有価媒体が既に収納されている場合には、ステップＳ２０３へ進み、そうでない場合には、ステップＳ２０４へ進む。
【００７５】
〈ステップＳ２０３〉
有価媒体を装填しようとする収納部３３に有価媒体が既に収納されている場合、制御部２０は、退避動作を行う。これにより、収納部３３に既に収納されている有価媒体が収納部３３から繰り出されて一時保留部３４に搬送される。退避処理が行われて収納部３３（複数の収納部３３のうち有価媒体を装填しようとする収納部３３）が空になると、ステップＳ２０４へ進む。
【００７６】
〈ステップＳ２０４〉
次に、制御部２０は、複数の収納部３３のうち有価媒体を装填しようとする収納部３３（ステップＳ２０１において指定された金種に対応する収納部３３）がアクセス禁止状態からアクセス許可状態に切り換わるように、有価媒体処理装置１０（具体的には有価媒体処理部１１）の動作を制御する。なお、複数の収納部３３のうち有価媒体を装填しようとする収納部３３を除く収納部３３は、アクセス禁止状態のまま維持される。そして、アクセス許可状態となっている収納部３３が閉状態から開状態に切り換えられる。
【００７７】
この例では、制御部２０は、図１５に示す操作ガイド画面の画像を操作表示部２１に表示させる。この操作ガイド画面には、筐体３０から内部ユニット３００を引き出すことを指示するために画像が含まれている。操作者により筐体３０から内部ユニット３００が引き出されると、内部ユニット３００に設けられた複数の収納部３３のうちアクセス許可状態の収納部３３が操作者により（または自動的に）閉状態から開状態に切り換えられる。そして、操作者は、開状態の収納部３３に有価媒体を装填する。開状態の収納部３３に対する有価媒体の装填が完了すると、操作者は、収納部３３を開状態から閉状態に切り換える。開状態から閉状態に切り換えられた収納部３３は、アクセス許可状態からアクセス禁止状態に切り換えられる。そして、筐体３０から引き出されている内部ユニット３００が筐体３０内に戻される。
【００７８】
〈ステップＳ２０５〉
次に、制御部２０は、複数の収納部３３のうちステップＳ２０４において開状態にされた収納部３３（有価媒体を装填しようとする収納部３３）を監視し、その収納部３３が開状態から閉状態に切り換えられたか否かを判定する。有価媒体を装填しようとする収納部が開状態から閉状態に切り換えられると、ステップＳ２０６へ進む。
【００７９】
〈ステップＳ２０６〉
次に、制御部２０は、複数の収納部３３のうちステップＳ２０５において開状態から閉状態に切り換えられた収納部３３（有価媒体を装填しようとする収納部３３）に有価媒体が装填されているか否かを判定する。有価媒体を装填しようとする収納部３３に有価媒体が装填されている場合には、ステップＳ２０７へ進み、そうでない場合には、ステップＳ２０４へ進む。
【００８０】
〈ステップＳ２０７〉
次に、制御部２０は、複数の収納部３３のうち有価媒体が装填された収納部３３から有価媒体が繰り出されて識別部３９に搬送され識別部３９における識別結果に応じて一時保留部３４に搬送されるように、有価媒体処理装置１０の動作を制御する。
【００８１】
〈ステップＳ２０８〉
次に、制御部２０は、複数の収納部３３のうち有価媒体が装填された収納部３３から全ての有価媒体が識別部３９に搬送されて有価媒体の計数が完了すると、その収納部３３に対する有価媒体の装填が承認されたか否かを判定する。収納部３３に対する有価媒体の装填が承認されると、ステップＳ２０９へ進む。
【００８２】
この例では、制御部２０は、有価媒体の計数が完了すると、図１６に示す計数結果画面の画像を操作表示部２１に表示させる。この計数結果画面には、識別部３９により計数された有価媒体の金種と枚数を示す画像と、有価媒体の装填を承認するための完了アイコン（図１６において「完了」と記載されたアイコン）とが含まれている。図１６の例は、１００枚の１万円の新券が装填されて計数されたことを示している。そして、図１６に示された計数結果画面において完了アイコンを選択するための操作が操作表示部２１に与えられると、制御部２０は、収納部３３に対する有価媒体の装填が承認されたと判定する。
【００８３】
〈ステップＳ２０９〉
次に、制御部２０は、一時保留部３４に一時的に保留された有価媒体が一時保留部３４から繰り出されて元の収納部３３に搬送されるように、有価媒体処理装置１０の動作を制御する。これにより、収納部３３に装填された有価媒体が元の収納部３３に戻される。また、退避動作が行われている場合、収納部３３に装填された有価媒体の他に、収納部３３から退避された有価媒体が元の収納部３３に戻される。
【００８４】
〈ステップＳ２１０〉
次に、制御部２０は、装填処理を継続するか否かを判定する。装填処理を継続する場合には、ステップＳ２０１へ進み、そうでない場合には、処理を終了する。
【００８５】
〔第２装填処理（手動装填）〕
次に、図１７を参照して、第２装填処理について説明する。
【００８６】
〈ステップＳ３０１〉
まず、制御部２０は、二者承認が行われているか否かを判定する。なお、「二者承認」とは、有価媒体処理装置１０の操作者と、その操作者とは別の操作者（例えば所定の権限を有する管理者）との両者に対して認証処理が行われ、その認証処理により両者が承認されている状態のことである。二者承認が行われていない場合には、ステップＳ３０２へ進み、二者承認が行われている場合には、ステップＳ３０３へ進む。このように、第２装填処理では二者承認が要求されており、第２装填処理における操作者の認証レベルは、第１装填処理における操作者の認証レベルよりも高くなっている。
【００８７】
〈ステップＳ３０２〉
二者承認が行われていない場合、制御部２０は、二者承認が行われていないことを通知するための情報（警告通知情報）を出力する。例えば、制御部２０は、警告通知情報を操作表示部２１に出力して、二者承認が行われていないことを通知するための画像を操作表示部２１に表示させる。次に、ステップＳ３０１へ進む。
【００８８】
〈ステップＳ３０３〉
二者承認が行われている場合、有価媒体処理部１１に装填しようとする有価媒体の金種が指定される。例えば、制御部２０は、有価媒体処理部１１に装填しようとする有価媒体の金種を選択するためのチェックボックスを含む金種指定画面の画像を操作表示部２１に表示させる。
【００８９】
〈ステップＳ３０４〉
次に、ステップＳ２０４と同様に、制御部２０は、複数の収納部３３のうち有価媒体を装填しようとする収納部３３（ステップＳ３０３において指定された金種に対応する収納部３３）がアクセス禁止状態からアクセス許可状態に切り換わるように、有価媒体処理装置１０（具体的には有価媒体処理部１１）の動作を制御する。なお、複数の収納部３３のうち有価媒体を装填しようとする収納部３３を除く収納部３３は、アクセス禁止状態のまま維持される。そして、アクセス許可状態となっている収納部３３が閉状態から開状態に切り換えられる。
【００９０】
〈ステップＳ３０５〉
次に、ステップＳ２０５と同様に、制御部２０は、複数の収納部３３のうちステップＳ３０４において開状態にされた収納部３３（有価媒体を装填しようとする収納部３３）を監視し、その収納部３３が開状態から閉状態に切り換えられたか否かを判定する。有価媒体を装填しようとする収納部３３が開状態から閉状態に切り換えられると、ステップＳ３０６へ進む。
【００９１】
〈ステップＳ３０６〉
次に、収納部３３に装填された有価媒体に関する情報（装填情報）が入力される。
【００９２】
この例では、制御部２０は、図１８に示す装填情報入力画面の画像を操作表示部２１に表示させる。この装填情報入力画面には、収納部３３に装填される有価媒体の金種と枚数と金額を入力するためのテンキーの画像が含まれている。そして、図１８に示された装填情報入力画面のテンキーが操作されて装填情報が入力される。
【００９３】
なお、第２装填処理において新たな有価媒体を装填しようとする収納部３３に既に有価媒体が収納されている場合、その収納部３３に既に収納されている有価媒体の上に、その収納部３３に装填された新たな有価媒体が収納される（載置される）ことになる。また、収納部３３の在高情報についても、その収納部３３における有価媒体の在高に対して、その収納部３３に新たに装填された分（すなわち収納部３３に装填された新たな有価媒体）が追加されることになる。
【００９４】
〈ステップＳ３０７〉
次に、制御部２０は、装填処理を継続するか否かを判定する。装填処理を継続する場合には、ステップＳ３０１へ進み、そうでない場合には、処理を終了する。
【００９５】
〔実施形態による効果〕
以上のように、この実施形態による有価媒体処理装置１０では、収納部３３とは別に装填部（有価媒体を装填するための構成）を設ける必要がないので、有価媒体処理装置１０に装填部が設けられている場合よりも、有価媒体処理装置１０の内部空間を有効に利用することができる。これにより、有価媒体処理装置１０の収納量の増加や有価媒体処理装置１０の小型化が可能となる。
【００９６】
また、この実施形態による有価媒体処理装置１０では、２種類の装填処理（第１装填処理と第２装填処理）を行うことができる。なお、第１装填処理では、有価媒体の計数が自動的に行われるので、第２装填処理が行われる場合よりも、収納部３３に有価媒体を装填する操作者の負担を軽減することができる。一方、第２装填処理では、有価媒体の計数が行われないので、第１装填処理が行われる場合よりも、操作者が収納部３３に有価媒体を装填する作業に要する時間を短縮することができる。これにより、第１装填処理と第２装填処理のうち操作者の要望に応じた装填処理を行うことができる。例えば、複数の収納部３３のうち有価媒体を装填しようとする収納部３３の数が比較的に少ない場合に第１装填処理を実施し、複数の収納部３３のうち有価媒体を装填しようとする収納部３３の数が比較的に多い場合（例えば金融機関の始業時において複数の収納部３３の全部に有価媒体を装填しようとする場合）に第２装填処理を実施することにより、操作者の負担の軽減と作業時間の短縮とをバランス良く両立させることができる。
【００９７】
また、この例では、制御部２０は、第１装填処理において、複数の収納部３３の有価媒体が装填された収納部３３から有価媒体が繰り出されて識別部３９に搬送され識別部３９における識別結果に応じて一時保留部３４に搬送され、収納部３３に装填された全ての有価媒体が識別部３９に搬送されて有価媒体の計数が完了すると、一時保留部３４に一時的に保留された有価媒体が収納部３３に戻るように、有価媒体処理装置１０の動作を制御する。このように、第１装填処理において収納部３３から繰り出された有価媒体を識別部３９における識別結果に応じて一時保留部３４に搬送することにより、識別部３９において識別済みの有価媒体を一時保留部３４において管理することができる。また、第１装填処理において有価媒体の計数が完了した場合に有価媒体を元の収納部３３に戻すことにより、計数済みの有価媒体を元の収納部３３に収納することができる。
【００９８】
また、第１装填処理において退避処理を行うことにより、有価媒体を装填しようとする収納部３３を空にすることができる。これにより、開状態の収納部３３に対する有価媒体の装填を容易にすることができる。
【００９９】
また、第１装填処理において退避動作を行うことにより、装填処理により有価媒体が装填される前に収納部３３に既に収納されていた有価媒体（すなわち比較的に古い有価媒体）が、装填処理により収納部３３に装填された有価媒体（すなわち比較的に新しい有価媒体）よりも先に繰り出されるように、収納部３３に有価媒体を収納することができる。これにより、特定の有価媒体が収納部３３内に残存し続けることを防止することができる。
【０１００】
また、退避動作において有価媒体を装填しようとする収納部３３に既に収納されている有価媒体を収納部３３から一時保留部３４に退避させることにより、収納部３３から退避させた有価媒体を一時保留部３４において管理することができる。
【０１０１】
また、第２装填処理における操作者の認証レベルを第１装填処理における操作者の認証レベルよりも高くすることにより、第２装填処理において収納部３３に装填される有価媒体の信頼性を向上させることができる。
【０１０２】
なお、アクセス可能状態とアクセス禁止状態とに個別に切り換え可能となるように複数の収納部３３が構成されていない場合（例えば複数の収納部３３の全部が同時にアクセス許可状態またはアクセス禁止状態に切り換えられる場合）、複数の収納部３３のうち有価媒体が装填された収納部３３を除く他の収納部３３において有価媒体の出し入れが行われる可能性があるので、その収納部３３における在高の信頼性を維持することができない。そのため、その収納部３３に対して在高を確定させるための処理（例えば精査処理）を行うことになるので、装填処理（第１装填処理または第２装填処理）が完了してから次の処理を開始することができるようになるまでの時間（準備時間）を短縮することが困難である。
【０１０３】
一方、この実施形態による有価媒体処理装置１０では、アクセス許可状態とアクセス禁止状態とに個別に切り換え可能となるように複数の収納部３３が構成されている。そのため、複数の収納部３３のうち有価媒体を装填しようとする収納部３３を除く他の収納部３３をアクセス禁止状態のまま維持することができる。これにより、アクセス禁止状態が維持されている収納部３３において在高の信頼性を維持することができる。
【０１０４】
〔第２装填処理（手動装填）の変形例〕
なお、制御部２０は、第２装填処理において、複数の収納部３３のうち有価媒体を装填しようとする収納部３３に有価媒体が既に収納されている場合に、退避動作を行うように構成されていてもよい。
【０１０５】
次に、図１９を参照して、第２装填処理の変形例について説明する。第２装填処理の変形例では、図１７に示したステップＳ３０１〜Ｓ３０７に加えて、以下のステップＳ４０１〜Ｓ４０４が行われる。
【０１０６】
〈ステップＳ４０１〉
ステップＳ３０３が完了すると、制御部２０は、複数の収納部３３のうちステップＳ３０３において指定された金種に対応する収納部３３（すなわち有価媒体を装填しようとする収納部３３）に有価媒体が既に収納されているか否かを判定する。有価媒体を装填しようとする収納部３３に有価媒体が既に収納されている場合には、ステップＳ４０２へ進み、そうでない場合には、ステップＳ３０４へ進む。
【０１０７】
〈ステップＳ４０２〉
有価媒体を装填しようとする収納部３３に有価媒体が既に収納されている場合、ステップＳ２０３と同様に、制御部２０は、退避動作を行う。これにより、収納部３３に既に収納されている有価媒体が収納部３３から繰り出されて一時保留部３４に搬送される。退避処理が行われて収納部３３（複数の収納部３３のうち有価媒体を装填しようとする収納部３３）が空になると、ステップＳ３０４へ進む。
【０１０８】
〈ステップＳ４０３〉
ステップＳ３０６が完了すると、制御部２０は、退避動作（ステップＳ４０２）が行われたか否かを判定する。退避動作が行われている場合には、ステップＳ４０４へ進み、そうでない場合には、ステップＳ３０７へ進む。
【０１０９】
〈ステップＳ４０４〉
退避動作が行われている場合、制御部２０は、一時保留部３４に一時的に保留された有価媒体が一時保留部３４から繰り出されて元の収納部３３に搬送されるように、有価媒体処理装置１０の動作を制御する。これにより、収納部３３から退避された有価媒体が元の収納部３３に戻される。次に、ステップＳ３０７へ進む。
【０１１０】
以上のように、第２装填処理において退避処理を行うことにより、開状態の収納部３３に対する有価媒体の装填を容易にすることができる。また、第２装填処理において退避動作を行うことにより、特定の有価媒体が収納部３３内に残存し続けることを防止することができる。
【０１１１】
〔払出処理〕
有価媒体処理装置１０では、払出処理が行われる。払出処理は、有価媒体処理装置１０の有価媒体処理部１１から有価媒体を払い出す処理である。図２０に示すように、払出処理では、制御部２０は、収納部３３から繰り出された有価媒体が識別部３９に搬送されている識別部における識別結果に応じて払出部３２または一時保留部３４に搬送されるように、有価媒体処理装置１０の動作を制御する。
【０１１２】
〔払出処理における動作例１〕
なお、制御部２０は、払出処理において次に動作例１を行うように構成されていてもよい。以下、払出処理における制御部２０の動作例１について説明する。
【０１１３】
動作例１では、制御部２０は、識別部３９において有価媒体が正常券に該当すると識別された場合に、その有価媒体が払出部３２に搬送されるように、有価媒体処理装置１０の動作を制御する。
【０１１４】
一方、制御部２０は、識別部３９において有価媒体がリジェクト券（例えば二枚送りや金種間違いなど）に該当する識別された場合に、その有価媒体が識別部３９において正常券に該当すると識別されるまでリトライ動作を繰り返し行う。リトライ動作では、制御部２０は、識別部３９においてリジェクト券に該当すると識別された有価媒体が識別部３９から収納部３３に戻された後に再び収納部３３から識別部３９に搬送されるように、有価媒体処理装置１０の動作を制御する。
【０１１５】
そして、制御部２０は、予め定められた回数（例えば３回）のリトライ動作が行われても識別部３９において有価媒体がリジェクト券に該当すると識別された場合に、その有価媒体が一時保留部３４に搬送されるように、有価媒体処理装置１０の動作を制御する。リジェクト券に該当する有価媒体を一時保留部３４に退避させた後に、収納部３３から次の有価媒体が繰り出される。その後、払出処理が完了すると、制御部２０は、一時保留部３４に退避させていた有価媒体が元の収納部３３に戻るように、有価媒体処理装置１０の動作を制御する。
【０１１６】
なお、元の収納部３３に戻された有価媒体は、次の払出処理において収納部３３から第１番目に繰り出されることになる。そのため、有価媒体自体にリジェクトの要因がある場合は、次の払出処理において、収納部３３から第１番目に繰り出される有価媒体に対してリトライ動作が繰り返し行われることになる。
【０１１７】
〔払出処理における動作例２〕
そこで、制御部２０は、払出処理において次の動作例２を行うように構成されていてもよい。以下、払出処理における制御部２０の動作例２について説明する。
【０１１８】
動作例２では、制御部２０は、予め定められた回数（例えば３回）のリトライ動作が行われても識別部３９において有価媒体がリジェクト券に該当すると識別される場合に、その有価媒体が一時保留部３４に搬送されるように、有価媒体処理装置１０の動作を制御するとともに、識別部３９において読み取られた有価媒体の識別番号（例えば記番号）を記憶部２５に記憶する。例えば、記憶部２５には、リジェクト確定リストが予め記憶されており、払出処理において予め定められた回数のリトライ動作が行われても識別部３９においてリジェクト券に該当すると識別される有価媒体の識別番号がリジェクト確定リストに登録される。
【０１１９】
そして、次の払出処理において、制御部２０は、識別部３９において有価媒体がリジェクト券に該当すると識別された場合に、番号照合動作を行う。番号照合動作では、制御部２０は、識別部３９においてリジェクト券に該当すると識別された有価媒体の識別番号（例えば記番号）が記憶部２５に記憶されている識別番号（例えばリジェクト確定リストに登録されている識別番号）に一致するか否かを判定する。
【０１２０】
有価媒体の識別番号が記憶部２５に記憶されている識別番号に一致する場合、制御部２０は、リトライ動作を行うことなく、識別部３９においてリジェクト券に該当すると識別された有価媒体が一時保留部３４に搬送されるように、有価媒体処理装置１０の動作を制御する。
【０１２１】
一方、有価媒体の識別番号が記憶部２５に記憶されている識別番号に一致しない場合、制御部２０は、動作例１と同様の動作を行う。すなわち、リトライ動作が繰り返し行われ、予め定められた回数のリトライ動作が行われても識別部３９において有価媒体がリジェクト券に該当していると識別される場合に、その有価媒体が一時保留部３４に搬送されるとともに、その有価媒体の識別番号がリジェクト確定リストに登録される。そして、払出処理の完了後に、一時保留部に一時的に保留されている有価媒体が一時保留部３４から繰り出されて元の収納部３３に戻される。
【０１２２】
以上のように、払出処理における動作例２では、識別部３９においてリジェクト券に該当すると識別された有価媒体の識別番号が記憶部２５に記憶されている識別番号に一致する場合に、リトライ動作が行われることなく、識別部３９においてリジェクト券に該当すると識別された有価媒体が一時保留部３４に搬送される。これにより、払出処理において収納部３３から第１番目に繰り出される有価媒体に対してリトライ動作が繰り返し行われる場合（すなわち動作例１の場合）よりも、払出処理の時間を短縮することができる。
【０１２３】
〔精査処理〕
また、有価媒体処理装置１０において精査処理が行われてもよい。精査処理は、有価媒体処理部１１に設けられた収納部３３に収納されている有価媒体の種類や枚数を確認するための処理である。精査処理では、制御部２０は、収納部３３から繰り出された有価媒体が識別部３９に搬送されて識別部３９における識別結果に応じて一時保留部３４に搬送される一次搬送と、一次搬送の完了後に一時保留部３４から繰り出された有価媒体が元の収納部３３に搬送される二次搬送とが行われるように、有価媒体処理装置１０の動作を制御する。
【０１２４】
なお、払出処理における制御部２０の動作例２によって記憶部２５に記憶されている識別番号（例えばリジェクト確定リストに登録されている識別番号は、精査処理において利用されてもよい。また、制御部２０は、精査処理において上記の動作例２を行うように構成されていてもよい。
【０１２５】
（その他の実施形態）
以上の説明では、筐体３０から引き出し可能な内部ユニット３００に複数の収納部３３が設けられている場合を例に挙げたが、これに限らず、例えば、複数の収納部３３は、それぞれが筐体３０から個別に引き出し可能となっていてもよい。
【０１２６】
また、以上の説明では、収納部３３が新券を収納する場合を例に挙げたが、これに限らず、収納部３３は、新券ではない他の有価媒体を収納するものであってもよい。
【０１２７】
また、以上の実施形態を適宜組み合わせて実施してもよい。以上の実施形態は、本質的に好ましい例示であって、この発明、その適用物、あるいはその用途の範囲を制限することを意図するものではない。
【産業上の利用可能性】
【０１２８】
以上説明したように、ここに開示する技術は、有価媒体処理装置として有用である。
【符号の説明】
【０１２９】
１０          有価媒体処理装置
１１          有価媒体処理部
１２          紙幣処理部
１３          硬貨処理部
１４          損貨記念貨処理部
２１          操作表示部
２１１        操作部
２１２        表示部
２２          カードリーダ
２３          プリンタ
２４          通信部
２５          記憶部
２０          制御部
３０          筐体
３００        内部ユニット
３１          投入部
３２          払出部
３３          収納部
３４          一時保留部
３５          小切手収納部
３６          損券収納部
３７          搬送部
３８          撮像部
３９          識別部
【図１】
2019200694.tif 000003
【図２】
2019200694.tif 000004
【図３】
2019200694.tif 000005
【図４】
2019200694.tif 000006
【図５】
2019200694.tif 000007
【図６】
2019200694.tif 000008
【図７】
2019200694.tif 000009
【図８】
2019200694.tif 000010
【図９】
2019200694.tif 000011
【図１０】
2019200694.tif 000012
【図１１】
2019200694.tif 000013
【図１２】
2019200694.tif 000014
【図１３】
2019200694.tif 000015
【図１４】
2019200694.tif 000016
【図１５】
2019200694.tif 000017
【図１６】
2019200694.tif 000018
【図１７】
2019200694.tif 000019
【図１８】
2019200694.tif 000020
【図１９】
2019200694.tif 000021
【図２０】
2019200694.tif 000022